(57)【特許請求の範囲】
【請求項１】
原稿を読み取って得られた入力画像の四隅の領域に対して、
前記領域を構成する複数の画素の各々が、ベタ画素かエッジ画素かを判定する画素判定部と、
前記画素判定部によってベタ画素と判定されたベタ画素群から綴じ具影候補を検出する綴じ具影候補検出部と、
前記画素判定部によってエッジ画素と判定された画素の画素数を算出するエッジ計数部と、
前記綴じ具影候補検出部によって検出された綴じ具影候補を含み、前記エッジ計数部によって算出されたエッジ画素の画素数が所定の範囲内である領域が、前記四隅の領域の一である場合に、前記綴じ具影候補が実際の綴じ具影であると判定する綴じ具影判定部と、
を備えることを特徴とする画像処理装置。
【請求項２】
前記四隅の領域の各々に存在する文字を認識する文字認識処理部を更に備え、
前記綴じ具影判定部は、更に、前記文字認識処理部が文字を認識しなかった領域が、前記四隅の領域の一である場合に、前記綴じ具影候補が実際の綴じ具影であると判定することを特徴とする請求項１に記載の画像処理装置。
【請求項３】
前記綴じ具影候補検出部が、前記ベタ画素群の濃度ヒストグラムに基づいて前記綴じ具影候補を検出することを特徴とする請求項１又は２に記載の画像処理装置。
【請求項４】
前記エッジ計数部は、更に、前記画素判定部により前記エッジ画素であると判定された画素の座標値に基づいてエッジ画素の分布領域を検出し、
前記綴じ具影判定部は、前記エッジ画素の分布領域が線状に形成され、その線の方向と前記原稿の天地方向のなす角度が所定の範囲内にあることを、前記綴じ具影候補が実際の綴じ具影であると判定するための更なる条件にすることを特徴とする請求項１から３のいずれか１項に記載の画像処理装置。
【請求項５】
前記実際の綴じ具影が、前記四隅の領域のいずれに存在するか判別することにより、前記入力画像の天地を判定することを特徴とする請求項１から４のいずれか１項に記載の画像処理装置。
【請求項６】
前記実際の綴じ具影が存在すると判定された前記入力画像に対して、前記実際の綴じ具影を消去することを特徴とする請求項１から５のいずれか１項に記載の画像処理装置。
【請求項７】
前記実際の綴じ具影を消去した後、前記実際の綴じ具影を消去した後の領域の色調を、前記実際の綴じ具影以外の領域の色調と一致させることを特徴とする請求項６に記載の画像処理装置。
【請求項８】
請求項１から７のいずれか１項に記載の画像処理装置を備えることを特徴とする画像形成装置。
【請求項９】
原稿を読み取って得られた入力画像の四隅の領域に対して、
前記領域を構成する複数の画素の各々が、ベタ画素かエッジ画素かを判定し、
ベタ画素と判定されたベタ画素群から綴じ具影候補を検出し、
エッジ画素と判定された画素の画素数を算出し、
前記綴じ具影候補を含み、算出された前記エッジ画素の画素数が第１の閾値と第２の閾値との間の範囲内である領域が、前記四隅の領域の一である場合に、前記綴じ具影候補が実際の綴じ具影であると判定することを特徴とする画像処理方法。
【請求項１０】
請求項１から７のいずれか１項に記載の画像処理装置を動作させるための画像処理プログラムであって、コンピュータを前記画像処理装置が備える各手段として機能させるための画像処理プログラム。
【請求項１１】
請求項８に記載の画像形成装置を動作させるための画像形成プログラムであって、コンピュータを前記画像形成装置が備える各手段として機能させるための画像形成プログラム。
【請求項１２】
請求項１０に記載の画像処理プログラムを、コンピュータ読み取り可能に格納したことを特徴とする記録媒体。
【請求項１３】
請求項１１に記載の画像形成プログラムを、コンピュータ読み取り可能に格納したことを特徴とする記録媒体。
【発明の詳細な説明】
【技術分野】
【０００１】
本発明は、画像処理装置並びにそれを備えた画像形成装置、画像処理方法、画像処理プログラム、及び記録媒体に関する。特に、紙綴じ具の影を判定し認識するための画像処理装置並びにそれを備えた画像形成装置、画像処理方法、画像処理プログラム、及び記録媒体に関する。
【背景技術】
【０００２】
従来より、画像処理装置において画像を読み取った結果、例えばスキャナ光による影が発生した場合、影を構成する画素の属性を用いて、影部分の領域を補正する発明が存在した。
【０００３】
例えば特許文献１には、黒領域検出手段が検出した黒領域が、原稿の周辺による黒枠であるのか、原稿と透明原稿台とが離間した部分に生じた影であるのかを識別するために、黒領域の幅方向の輝度値変化を用いる発明が開示されている。
【０００４】
具体的な方法は以下の通りである。すなわち、画像データの右端から左に向けて、予め設定した輝度値閾値以上の領域を探索すると共に、画像データ下端部から上に向けて、同様の処理を行う。次に、検出された黒領域について、ライン単位で平均輝度値を求め、隣接ライン間の輝度平均値である微分値を求める。微分値が黒領域全体に渡ってゼロに近い値であれば黒枠と判定し、微分値が、黒領域に渡ってゼロに近い値を取り続けなければ、綴じ部の影であると判定する。
【先行技術文献】
【特許文献】
【０００５】
【特許文献１】特開２０１０−６２９８９号公報
【特許文献２】特開２００２−２３２７０８号公報
【発明の概要】
【発明が解決しようとする課題】
【０００６】
しかし、画像処理装置によって読み取られた画像の影には、単に原稿と透明原稿台とが離間することによって発生する影だけではなく、ホチキス等の紙綴じによる「紙めくり」の影も存在する。この点、特許文献１には、紙綴じ具の影を検出することは記載されていない。また、紙綴じ具の影の位置を元に原稿の天地方向を合わせたり、紙綴じ具の影を自動的に消去したりすることも記載されていない。
【０００７】
そこで、本発明においては、画像処理装置において、ホチキス等の紙綴じによる「紙めくり」の影を検出することを目的とする。更には、紙綴じ具の影の位置を元に、原稿の天地方向を合わせたり、その影を自動的に消去したりすることを目的とする。
【課題を解決するための手段】
【０００８】
本発明の第１の観点によれば、原稿を読み取って得られた入力画像の四隅の領域に対して、前記領域を構成する複数の画素の各々が、ベタ画素かエッジ画素かを判定する画素判定部と、前記画素判定部によってベタ画素と判定されたベタ画素群から綴じ具影候補を検出する綴じ具影候補検出部と、前記画素判定部によってエッジ画素と判定された画素の画素数を算出するエッジ計数部と、前記綴じ具影候補検出部によって検出された綴じ具影候補を含み、前記エッジ計数部によって算出されたエッジ画素の画素数が所定の範囲内である領域が、前記四隅の領域の一である場合に、前記綴じ具影候補が実際の綴じ具影であると判定する綴じ具影判定部と、を備えることを特徴とする画像処理装置が提供される。
【０００９】
本発明の第２の観点によれば、前記画像処理装置を備えることを特徴とする画像形成装置が提供される。
【００１０】
本発明の第３の観点によれば、原稿を読み取って得られた入力画像の四隅の領域に対して、前記領域を構成する複数の画素の各々が、ベタ画素かエッジ画素かを判定し、ベタ画素と判定されたベタ画素群から綴じ具影候補を検出し、エッジ画素と判定された画素の画素数を算出し、前記綴じ具影候補を含み、算出された前記エッジ画素の画素数が第１の閾値と第２の閾値との間の範囲内である領域が、前記四隅の領域の一である場合に、前記綴じ具影候補が実際の綴じ具影であると判定することを特徴とする画像処理方法が提供される。
【００１１】
本発明の第４の観点によれば、前記画像処理装置を動作させるための画像処理プログラムであって、コンピュータを上記画像処理装置が備える各手段として機能させるための画像処理プログラムが提供される。
【００１２】
本発明の第５の観点によれば、前記画像形成装置を動作させるための画像形成プログラムであって、コンピュータを前記画像形成装置が備える各手段として機能させるための画像形成プログラムが提供される。
【００１３】
本発明の第６の観点によれば、前記画像処理プログラムを、コンピュータ読み取り可能に格納したことを特徴とする記録媒体が提供される。
【００１４】
本発明の第７の観点によれば、前記画像形成プログラムを、コンピュータ読み取り可能に格納したことを特徴とする記録媒体が提供される。
【発明の効果】
【００１５】
本発明によれば、画像処理装置において、ホチキス等の紙綴じによる「紙めくり」の影を検出することが可能となる。
【図面の簡単な説明】
【００１６】
【図１】本発明の第１の実施形態に係る画像処理装置の主要部の構成例を示す図である。
【図２−１】本発明の第１の実施形態に係る画像処理装置のうち綴じ具影検出部の構成例、及び、綴じ具影検出部と綴じ具影判定部との連携状態を示す図である。
【図２−２】本発明の第１の実施形態に係る画像処理装置のうち綴じ具影検出部の構成例、及び、綴じ具影検出部と綴じ具影判定部の連携状態を示す図である。
【図３】本発明の第１の実施形態に係る画像処理装置のうち文字認識処理部の構成例を示す図である。
【図４】本発明の第１の実施形態に係る画像処理装置のうち文字認識処理部による文字認識処理方法を示す図である。
【図５−１】本発明の第１の実施形態に係る画像処理装置による、綴じ具影判定方法のフローを示す図である。
【図５−２】本発明の第１の実施形態に係る画像処理装置による、綴じ具影判定方法のフローを示す図である。
【図６−１】本発明の第１の実施形態に係る画像処理装置による、綴じ具影判定パターンを示す図である。
【図６−２】本発明の第１の実施形態に係る画像処理装置による、綴じ具影判定パターンを示す図である。
【図６−３】本発明の第１の実施形態に係る画像処理装置による、綴じ具影判定パターンを示す図である。
【図６−４】本発明の第１の実施形態に係る画像処理装置による、綴じ具影判定パターンを示す図である。
【図７−１】本発明の第１の実施形態に係る画像処理装置が用いるベタ画素の濃度ヒストグラムの説明図である。
【図７−２】本発明の第１の実施形態に係る画像処理装置が用いるベタ画素の濃度ヒストグラムの説明図である。
【図８−１】本発明の第１の実施形態に係る画像処理装置のうち綴じ具影専用処理部の構成例を示す図である。
【図８−２】本発明の第１の実施形態に係る画像処理装置のうち綴じ具影専用処理部の構成例を示す図である。
【図８−３】本発明の第１の実施形態に係る画像処理装置のうち綴じ具影専用処理部の構成例を示す図である。
【図９−１】本発明の第１の実施形態に係る画像処理装置による、天地方向判定パターンを示す図である。
【図９−２】本発明の第１の実施形態に係る画像処理装置による、天地方向判定パターンを示す図である。
【図９−３】本発明の第１の実施形態に係る画像処理装置による、天地方向判定パターンを示す図である。
【図９−４】本発明の第１の実施形態に係る画像処理装置による、天地方向判定パターンを示す図である。
【図１０】本発明の第１の実施形態に係る画像処理装置による綴じ具影処理内容の例を示す図である。
【図１１】本発明の第２の実施形態に係る画像形成装置の構成例を示す図である。
【図１２】本発明の第２の実施形態に係る画像形成装置の構成例を示す図である。
【図１３】本発明の第２の実施形態に係る画像形成装置の構成例を示す図である。
【図１４】本発明の第２の実施形態に係る画像形成装置の構成例を示す図である。
【図１５】本発明の第２の実施形態に係る画像形成装置のうち色補正部による補正例を示す図である。
【発明を実施するための形態】
【００１７】
以下、図１から図１０を参照しながら、本発明の第１の実施形態について詳述する。
【００１８】
［第１の実施形態］
＜１．１  画像処理装置の構成例＞
図１に本発明の第１の実施形態に係る画像処理装置の主要部の構成例を示す。画像処理装置１００は、綴じ具影検出部１１０と綴じ具影判定部１２０と綴じ具影専用処理部１３０とを備える。綴じ具影検出部１１０は、ホチキス等の紙綴じ具によって生じる影である可能性のある綴じ具影候補領域の検出を行う。綴じ具影判定部１２０は、上記の綴じ具影候補領域が実際の綴じ具の影であるか否かの判定を行う。綴じ具影専用処理部１３０は、上記の領域が実際の綴じ具の影であると判定された場合、実際の綴じ具の影に対して画像処理を行ったり、実際の綴じ具の位置に応じ、原稿の画像に対して天地補正をしたりする等の画像処理を行う。
【００１９】
＜１．２．１  綴じ具影検出部及び綴じ具影判定部の構成例と動作＞
図２−１は、上記の綴じ具影検出部１１０の構成例、及び綴じ具影検出部１１０と綴じ具影判定部１２０との連関を示した図である。綴じ具影検出部１１０は、画素判定部１１１と、ヒストグラム生成部１１２と、綴じ具影候補検出部１１９と、エッジ計数部１１３とを備える。これらの動作について、図５−１のフローチャートを用いて説明する。
【００２０】
まず、ＳＴＥＰ１１において、画素判定部１１１が、入力画像中、四隅の領域に存在するベタ画素、及びエッジ画素を抽出する。この四隅の領域としては、例えばＡ４サイズ（２９５ｍｍ×２１０ｍｍ）の原稿であれば、１５ｍｍ×１５ｍｍの正方形の領域を四隅の四か所の領域とする。（図６−１、図６−２、図６−３、図６−４の例においては、各図の点線矩形の領域である。）これらの各々の領域からベタ画素とエッジ画素とを抽出する。
【００２１】
ベタ画素とエッジ画素の峻別には、例えば特許文献２に記載の方法を用いる。具体的には、以下の通りである。
（１１−１）注目画素を含むｎ×ｍ（例えば、７×１５）のブロックにおける最小濃度値、及び、最大濃度値を算出する。
（１１−２）算出された最小濃度値及び最大濃度値を用いて最大濃度差を算出する。
（１１−３）上記のブロック内で、隣接する画素の濃度差の絶対値の総和である総和濃度繁雑度（例えば、主走査方向と副走査方向について算出した値の和）を算出する。
（１１−４）算出された最大濃度差と最大濃度差閾値との比較及び算出された総和濃度繁雑度と総和濃度繁雑度閾値との比較を行う。具体的には、
最大濃度差＜最大濃度差閾値、及び、総和濃度繁雑度＜総和濃度繁雑度閾値
のとき、注目画素はベタ画素（下地・印画紙写真領域）に属すると判定する。ここで、ベタ画素とは、例えば下地・印画紙写真領域のことである。
上記条件を充たさないとき、注目画素はエッジ画素に属すると判定する。ここで、エッジ画素とは、例えば文字・網点領域のことである。
【００２２】
エッジの抽出には、上記以外の方法、例えば、隣接画素の画素値の差の絶対値を閾値処理する方法や、ソーベルフィルタやラプラシアンフィルタ等のフィルタを使用する方法を用いても良い。
【００２３】
次にＳＴＥＰ１２において、エッジ計数部１１３が、入力画像の四隅領域の各々で、画素判定部１１１によりエッジ画素と判定された画素の数をカウントする。ここでは、このカウント値を“ＣＯＵＮＴｅｄｇｅ”と名づける。
【００２４】
次にＳＴＥＰ１３において、ヒストグラム生成部１１２が、画素判定部１１１によりベタ画素と判定された画素群について、縦軸を画素数、横軸を濃度とした濃度ヒストグラムを作成する。ここで、濃度としては、例えば下記の輝度の値を用いる。
Ｙｉ＝０．３０Ｒｉ＋０．５９Ｇｉ＋０．１１Ｂｉ  
（Ｙ：各画素の輝度信号    Ｒ，Ｇ，Ｂ：各画素の各色成分の値    添え字のｉ：画素毎に付与された値（ｉは１以上の整数））
【００２５】
次にＳＴＥＰ１４において、入力画像の四隅の各々に対応した四つのヒストグラム毎に、綴じ具影候補検出部１１９が、最も淡い濃度域を原稿下地として認識し、原稿下地の濃度域の次に淡い濃度域を綴じ具影の候補の濃度域であると認識する。その一例を図７−１及び図７−２に示す。図７−１において、原稿中、左上の点線矩形内のベタ画素について、濃度ヒストグラムを生成する。図７−１の点線矩形内の画素のうち、白色で示された領域のベタ画素は、図７−２のヒストグラムにおいて、最も濃度が淡い右側の山となる。一方で、図７−１の点線矩形内の画素のうち、網掛けで示された領域のベタ画素は、図７−２のヒストグラムにおいて、次に濃度が淡い左側の山となる。綴じ具影候補検出部１１９は、この左側の山を、綴じ具影候補とする。綴じ具影候補検出部１１９は、この濃度ヒストグラム分析を、図７−１の原稿の左上の領域だけではなく、その他の三領域、すなわち、右上、左下、右下の領域についても行う。
【００２６】
次にＳＴＥＰ１５において、綴じ具影判定部１２０が、四隅の領域の各々について、以下の二つの条件が成立するかどうかについて判定する。
（１５−１）濃度ヒストグラムで、原稿下地よりも濃い濃度域（上記の、原稿下地の次に濃度が淡い山）が存在するか。
（１５−２）上記のエッジ画素の画素数（ＣＯＵＮＴｅｄｇｅ）が、所定の範囲内、すなわち第一の閾値を超えて、第二の閾値に満たない範囲内にあるか。
上記の（１５−１）及び（１５−２）の双方が成立する領域が四隅の領域のうち一つのみである場合（ＳＴＥＰ１５のＹＥＳ）は、ＳＴＥＰ１６において、綴じ具影判定部１２０が、当該一つの領域に綴じ具影が存在すると判定する。一方、上記の（１５−１）及び（１５−２）の双方が成立する領域が存在しないか、二つ以上存在する場合（ＳＴＥＰ１５のＮＯ）は、ＳＴＥＰ１７において、綴じ具影判定部１２０が、四つの領域のいずれにも綴じ具影がないと判定する。
【００２７】
＜１．２．２  綴じ具影検出部が更に文字認識処理部を備える場合の、綴じ具影検出部及び綴じ具影判定部の構成例と動作＞
なお、上記においては図２−１を用い、綴じ具影検出部１１０が、画素判定部１１１、ヒストグラム生成部１１２、エッジ計数部１１３、綴じ具影候補検出部１１９を備える態様について説明したが、図２−２に示すように、綴じ具影検出部１１０は、更に文字認識処理部１１４を備えてもよい。この文字認識処理部１１４の構成例と動作を、図３及び４を参照しながら、以下に詳述する。
【００２８】
文字認識処理部１１４は、図３に示すように、信号変換部１１５、２値化処理部１１６、レイアウト解析部１１７、文字認識部１１８を備える。
【００２９】
信号変換部１１５では、ＲＧＢのカラー画像データを、下記式を用いて輝度データに変換する。
Ｙｉ＝０．３０Ｒｉ＋０．５９Ｇｉ＋０．１１Ｂｉ  
（Ｙ：各画素の輝度信号    Ｒ，Ｇ，Ｂ：各画素の各色成分の値    添え字のｉ：画素毎に付与された値（ｉは１以上の整数））
上記式ではなく、ＲＧＢ信号をＣＩＥ１９７６Ｌ＊ａ＊ｂ＊信号（ＣＩＥ：Commission International de l'Eclairage、Ｌ＊：明度、a＊，ｂ＊：色度）に変換してもよく、あるいは、Ｇ信号を用いても良い。
【００３０】
２値化処理部１１６では、上記の輝度データを２値化する。輝度信号が８ビットの場合、例えば、閾値を１２８とする。あるいは、複数の画素（例えば、５×５）よりなるブロックの濃度（画素値）の平均値を閾値とするようにしても良い。
【００３１】
次に、レイアウト解析部１１７で、輝度データのレイアウト解析を行って文字列を抽出し、文字列を１文字単位の文字に区別する。具体的には、図４に示すように、１文字単位の外接矩形を求め、文字列の１文字単位の区別を行う。外接矩形は、例えば、以下のようにして求める。
（１）任意のラインを最初の注目ラインとし、注目ライン中の黒画素にラベリングを行う。
（２）注目ラインを一つ下のラインにずらし、当該一つ下のライン中の黒画素について、上記上のライン中の黒画素とは異なるラベルをセットする。
（３）注目ラインと上のラインの黒画素の連結状態を判定し、連結している場合は、画素が繋がっていると判断し、注目ライン中の黒画素のラベルを、上のラインの黒画素と同じラベルに置き換える。
（４）上記の処理を繰り返し、文字の抽出を行う。抽出された文字領域より、上端、下端、左端、及び右端の画素位置を基に外接矩形を抽出する。なお画素の座標は、読み込まれた画像データの左端の位置を原点として求める。
【００３２】
次に、文字認識部１１８において、１文字毎に区別された文字に対して、文字認識を行う。具体的には、認識対象の文字を予め定められたサイズ（例えば、１０ポイント）の大きさに変換する（正規化処理を施す）。次に、正規化した文字と、辞書データとして登録されている１文字単位のパターンとを重ね合わせて比較することによって文字の認識を行う。
文字認識処理部１１４の構成例と動作は、以上の通りである。
【００３３】
上記のように、綴じ具影検出部１１０が文字認識処理部１１４を備える場合は、綴じ具影検出部１１０、及び綴じ具影判定部１２０は、図５−２のフローチャートに示す動作を実施する。図５−１のフローチャートに比較すると、図５−２のフローチャートは、文字認識処理部１１４が入力画像の四隅の領域にある文字を認識し、認識文字数（ＣＯＵＮＴｏｃｒ）をカウントした後、当該カウント値を、綴じ具影の有無の判定に用いる点で異なる。図５−１に係る説明と一部重複するが、図５−２に記載のフローチャートは、具体的には以下の通りである。
【００３４】
まず、ＳＴＥＰ２１において、画素判定部１１１が、入力画像中、四隅の領域に存在するベタ画素、及びエッジ画素を抽出する。
【００３５】
次にＳＴＥＰ２２において、エッジ計数部１１３が、原稿の四隅の領域の各々で、画素判定部１１１によりエッジ画素と判定された画素の数をカウントする。このカウント値を“ＣＯＵＮＴｅｄｇｅ”とする。
【００３６】
次にＳＴＥＰ２３において、ヒストグラム生成部１１２が、画素判定部１１１によりベタ画素と判定された画素群について、縦軸を画素数、横軸を濃度とした濃度ヒストグラムを作成する。
【００３７】
次にＳＴＥＰ２４において、四隅の各々に対応した４つのヒストグラム毎に、綴じ具影候補検出部１１９が、最も淡い濃度域を原稿下地として認識し、原稿下地の濃度域の次に淡い濃度域を綴じ具影の候補の濃度域であると認識する。
【００３８】
次にＳＴＥＰ２５において、上記の文字認識処理部１１４が、原稿の四隅の領域の各々で、文字を認識する。
【００３９】
次にＳＴＥＰ２６において、上記の文字認識処理部１１４が、原稿の四隅の領域の各々で、認識した文字数をカウントする。これをここでは、“ＣＯＵＮＴｏｃｒ”と名づける。
【００４０】
次にＳＴＥＰ２７において、綴じ具影判定部１２０が、四隅の領域の各々について、以下の三つの条件が成立するかどうかについて判定する。
（２７−１）濃度ヒストグラムで、原稿下地よりも濃い濃度域（上記の、原稿下地の次に濃度が淡い山）が存在するか。
（２７−２）上記のエッジ画素の画素数（ＣＯＵＮＴｅｄｇｅ）が、所定の範囲内、すなわち第一の閾値を超えて、第二の閾値に満たない範囲内にあるか。
（２７−３）上記のＣＯＵＮＴｏｃｒが０か。
上記の（２７−１）から（２７−３）の全てが成立する領域が四隅の領域のうち一つのみである場合（ＳＴＥＰ２７のＹＥＳ）には、ＳＴＥＰ２８において、綴じ具影判定部１２０が、当該一つの領域に綴じ具影が存在すると判定する。一方、上記の（２７−１）から（２７−３）の全てが成立する領域が存在しないか、二つ以上存在する場合（ＳＴＥＰ２７のＮＯ）には、ＳＴＥＰ２９において、綴じ具影判定部１２０が、四つの領域のいずれにも綴じ具影がないと判定する。
【００４１】
＜１．３  綴じ具影専用処理部の構成例と動作＞
上記のように、綴じ具影判定部１２０が現行の四隅の領域のうち一つのみに綴じ具影が存在すると判定した場合、図１記載の綴じ具影専用処理部１３０が、紙綴じ具影が存在すると判定した原稿専用の画像処理を行う。
【００４２】
図８−１から図８−３は、綴じ具影専用処理部１３０の構成の第１の例から第３の例を示す。
【００４３】
図８−１に記載の第１の例においては、綴じ具影専用処理部１３０は、天地判定部１３１と天地補正部１３２とを備える。
【００４４】
天地判定部１３１は、綴じ具影が存在すると判定された領域が、図９−１のように左上に存在するか、図９−２のように右上に存在する場合は、原稿が上向きであると判定する。一方で、綴じ具影が存在すると判定された領域が、図９−３のように左下に存在するか、図９−４のように右下に存在する場合は、原稿が下向きであると判定する。
【００４５】
天地補正部１３２は、天地判定部１３１により原稿が下向きであると判定された場合は、１８０°回転処理を行い、原稿が上向きになるよう天地補正を行う。原稿が上向きであると判定された場合は、何も処理を行わない。
【００４６】
図８−２に記載の第２の例においては、綴じ具影専用処理部１３０は、綴じ具影消去部１３３を備える。綴じ具影消去部１３３は、図１０に示すように、綴じ具影が存在すると判定された領域全体を、濃度ヒストグラムにて原稿下地と判定した濃度域の平均濃度値の画素で置換えを行う。なお、原稿がカラー原稿の場合は、単に綴じ具影が存在すると判定された領域全体を、原稿下地と判定した濃度域の平均濃度値の画素で置き換えるのみならず、原稿下地と判定した領域と同様の色調の画素で置き換えてもよい。
【００４７】
図８−３に記載の第３の例は、綴じ具影専用処理部１３０が、上記の天地判定部１３１、天地補正部１３２、及び、綴じ具影消去部１３３の全てを備える例である。
【００４８】
＜１．４  第１の実施形態の変形例＞
上記のエッジ計数部１１３は、エッジ画素の画素数をカウントするが、これに加えて、エッジ画素の座標値を取得してもよい。この場合、エッジ画素の分布領域が線状に形成された場合、当該線が、原稿画像の天地方向との間でなす角度が所定の範囲内にあることを更なる条件として、綴じ具影判定部１２０が一つの領域に綴じ具影が存在すると判定しても良い。
【００４９】
以下、図１１から図１５を参照しながら、本発明の第２の実施形態について詳述する。
【００５０】
［第２の実施形態］
＜２．１  複合機による印刷動作＞
図１１は、本発明の第２の実施形態に係る画像処理装置５７０を備える画像形成装置５００（例えば、デジタル複写機、コピア機能・プリンタ機能・ファクシミリ送信機能・scan to e-mail機能等を備える複合機）の構成例、及び、印刷動作時の信号の流れを示す図である。
【００５１】
画像処理装置５７０は、Ａ／Ｄ変換部５０５、シェーディング補正部５１０、入力処理部５１５、原稿種別自動判別部５２０、綴じ具影専用処理部５２５、色補正部５３０、領域分離部５３５、黒生成／下色除去部５４０、空間フィルタ部５４５、出力階調補正部５５０、中間調生成部５５５を備え、図１１では図示しないが後述の図１２で図示されるように、更に、フォーマット化処理部５６０を備える。
【００５２】
また、画像形成装置５００は、上記の画像処理装置５７０に加えて、更に、画像入力装置１０、画像出力装置２０、送受信装置３０、記憶部４０、制御部５０を備える。  
【００５３】
画像入力装置１０はＣＣＤ（Charge Coupled Device）ラインセンサからなり、原稿から反射してきた光をＲ、Ｇ、Ｂ（Ｒ：赤・Ｇ：緑・Ｂ：青）に色分解された電気信号に変換する。ＣＣＤラインセンサにより入力されたカラー画像信号（ＲＧＢアナログ信号）は、Ａ／Ｄ（アナログ・デジタル）変換部５０５にてデジタル信号に変換され、シェーディング補正部５１０にて画像入力装置の照明系、結像系、撮像系で生じる各種の歪みが取り除かれる。その後、入力処理部５１５においてＲＧＢ信号のそれぞれに対してγ（入力階調）を補正する処理等が施される。
【００５４】
入力処理部５１５から出力されたデータは、記憶部４０に引き渡される。この画像データをファイリングデータとして管理するようにしても良い。この場合、上記画像データは、例えば、ＪＰＥＧ圧縮アルゴリズムに基づいてＪＰＥＧコードに圧縮されて格納される。コピー出力動作やプリント出力動作が指示された場合は、ハードディスクからＪＰＥＧコードが引き出され、不図示のＪＰＥＧ伸張部に引き渡され、復号化処理がなされＲＧＢデータに変換される。
【００５５】
原稿種別自動判別部５２０は、入力画像データの種別の判定を行う。第１の実施形態における綴じ具影検出部、及び、綴じ具影判定部が、この原稿種別自動判別部５２０の中に組み入れられている。ここで、判定される原稿の種別としては、文字原稿、写真（連続階調写真）原稿、印刷写真原稿、文字と印刷写真とが混在した文字印刷写真原稿等があり、各原稿種類に対して紙綴じ具による影が存在する否かの判定を行う。
【００５６】
原稿種別自動判別は例えば、特許文献２に記載の方法を用いることができる。具体的には、以下の通りである。
（１）注目画素を含むｎ×ｍ（例えば、７×１５）のブロックにおける最小濃度値、及び、最大濃度値を算出する。
（２）算出された最小濃度値及び最大濃度値を用いて最大濃度差を算出する。
（３）隣接する画素の濃度差の絶対値の総和である総和濃度繁雑度（例えば、主走査
方向と副走査方向について算出した値の和）を算出する。
（４）算出された最大濃度差と最大濃度差閾値との比較、及び、算出された総和濃度繁雑度と総和濃度繁雑度閾値との比較を行う。
最大濃度差＜最大濃度差閾値、及び、総和濃度繁雑度＜総和濃度繁雑度閾値のとき、注目画素は下地・印画紙写真領域に属すると判定する。
上記条件を充たさないとき、注目画素は文字・網点領域に属すると判定する。
（５）下地・印画紙写真領域に属すると判定された画素について
注目画素が、最大濃度差＜下地・印画紙写真判定閾値を充たすとき、下地画素であると判定し、上記条件を充たさないとき、印画紙写真（連続階調領域）画素であると判定する。
（６）文字・網点領域に属すると判定された画素について
注目画素が、総和濃度繁雑度＜最大濃度差に文字・網点判定閾値を掛けた値の条件を充たすとき、文字画素であると判定し、上記条件を充たさないとき、網点画素であると判定する。
（７）下地領域、印画紙写真領域、文字領域、及び、網点領域に分類された画素数をカウントし、それぞれのカウント値を、予め定められている下地領域、印画紙写真領域、網点領域及び文字領域に対する閾値と比較して原稿全体の種別を判定する。例えば、文字、網点、印画紙写真の順に検出精度が高いとすると、文字領域の比率が全画素数の３０％以上の場合には文字原稿、網点領域の比率が全画素数の２０％以上の場合には網点原稿（印刷写真原稿）、印画紙写真領域の比率が全画素数の１０％以上の場合には印画紙写真原稿であると判定する。また、文字領域の比率と網点領域の比率とが、それぞれ閾値以上であるとき、文字／網点原稿（文字印刷写真原稿）であると判定する。
【００５７】
綴じ具影専用処理部５２５では、原稿が紙綴じ具影が存在する原稿と判定された場合に綴じ具影消去処理、天地補正等の処理を行う。
【００５８】
色補正部５３０では、ＲＧＢ信号の補色であるＣＭＹ（Ｃ：シアン・Ｍ：マゼンタ・Ｙ：イエロー）信号が生成されると共に色再現性を高める処理が施され、黒生成／下色除去部５４０にてＣＭＹＫ（Ｋ：黒）４色信号に変換される。空間フィルタ部５４５ではＣＭＹＫ信号に対して強調処理や平滑化処理がなされ、出力階調補正部５５０では、用紙等の記録媒体に出力するための出力γ補正処理がなされる。中間調生成部５５５では画像を出力するための階調再現処理が行われる。
【００５９】
一方、領域分離部５３５においては入力画像データの各画素が黒文字、色文字、網点、印画紙写真（連続階調領域）等のどのような領域に属する画素であるのか判定が下される。領域分離部５３５より出力された領域分離信号はそれぞれ黒生成／下色除去部５４０、空間フィルタ部５４５、中間調生成部５５５に引き渡され、各種領域に応じた適切な処理の切替えが行われる。
【００６０】
中間調生成部５５５から出力されたＣＭＹＫ信号は画像出力装置２０に引き渡され出力画像が形成される。なお、画像出力装置２０は、例えば、電子写真方式プリンタやインクジェット方式プリンタ等の画像を再現する装置である。
【００６１】
図１２に、本発明が実施される画像形成装置５００の物理的構成の一例を示す。
【００６２】
画像形成装置５００は、外部から伝達された画像データに応じて、所定のシート（記録用紙）に対して多色及び単色の画像を形成するもので、装置本体８１０と、自動原稿処理装置８２０とにより構成されている。装置本体８１０は、露光ユニット７０１、現像器７０２、感光体ドラム７０３、クリーナユニット７０４、帯電器７０５、中間転写ベルトユニット７０６、定着ユニット７０７、給紙カセット７８１、排紙トレイ７９１等を有して構成されている。
【００６３】
装置本体８１０の上部には、原稿が載置される透明ガラスからなる原稿載置台７９２が設けられ、原稿載置台７９２の上側には自動原稿処理装置８２０が取り付けられている。自動原稿処理装置８２０は、原稿載置台７９２の上に自動で原稿を搬送する。また原稿処理装置８２０は矢印Ｍ方向に回動自在に構成され、原稿載置台７９２の上を開放することにより原稿を手置きで置くことができるようになっている。
【００６４】
本画像形成装置において扱われる画像データは、ブラック（Ｋ）、シアン（Ｃ）、マゼンタ（Ｍ）、イエロー（Ｙ）の各色を用いたカラー画像に応じたものである。従って、現像器７０２、感光体ドラム７０３、帯電器７０５、クリーナユニット７０４は、各色に応じた４種類の潜像を形成するようにそれぞれ４個ずつ設けられ、それぞれブラック、シアン、マゼンタ、イエローに設定され、これらによって４つの画像ステーションが構成されている。
【００６５】
帯電器７０５は、感光体ドラム７０３の表面を所定の電位に均一に帯電させるための帯電手段であり、図１３に示すようなチャージャ型の他、接触型のローラ型やブラシ型の帯電器が用いられることもある。
【００６６】
露光ユニット７０１は、本発明に関わる画像書込み装置に該当するものであり、レーザ出射部及び反射ミラー等を備えたレーザスキャニングユニット（ＬＳＵ）として構成される。露光ユニット７０１は、レーザビームを走査するポリゴンミラーと、ポリゴンミラーによって反射されたレーザ光を感光体ドラム７０３に導くためのレンズやミラー等の光学要素が配置されている。露光ユニット７０１を構成する光走査装置の構成は、後述して具体的に説明する。また露光ユニット７０１としては、この他発光素子をアレイ状に並べた例えばＥＬやＬＥＤ書込みヘッドを用いる手法も採用できる。
【００６７】
露光ユニット７０１は、帯電された感光体ドラム７０３を入力された画像データに応じて露光することにより、その表面に、画像データに応じた静電潜像を形成する機能を有する。現像器７０２はそれぞれの感光体ドラム７０３上に形成された静電潜像を４色（ＹＭＣＫ）のトナーにより顕像化するものである。またクリーナユニット７０４は、現像・画像転写後における感光体ドラム７０３上の表面に残留したトナーを、除去・回収する。
【００６８】
感光体ドラム７０３の上方に配置されている中間転写ベルトユニット７０６は、中間転写ベルト７６１、中間転写ベルト駆動ローラ７６２、中間転写ベルト従動ローラ７６３、中間転写ローラ７６４、及び中間転写ベルトクリーニングユニット７６５を備えている。上記中間転写ローラ７６４は、ＹＭＣＫ用の各色に対応して４本設けられている。
【００６９】
中間転写ベルト駆動ローラ７６２、中間転写ベルト従動ローラ７６３、及び中間転写ローラ７６４は、中間転写ベルト７６１を張架して回転駆動させる。また各中間転写ローラ７６４は、感光体ドラム７０３のトナー像を、中間転写ベルト７６１上に転写するための転写バイアスを与える。
【００７０】
中間転写ベルト７６１は、各感光体ドラム７０３に接触するように設けられている、そして、感光体ドラム７０３に形成された各色のトナー像を中間転写ベルト７６１に順次的に重ねて転写することによって、中間転写ベルト７６１上にカラーのトナー像（多色トナー像）を形成する機能を有している。中間転写ベルト７６１は、例えば厚さ１００μｍ〜１５０μｍ程度のフィルムを用いて無端状に形成されている。
【００７１】
感光体ドラム７０３から中間転写ベルト７６１へのトナー像の転写は、中間転写ベルト７６１の裏側に接触している中間転写ローラ７６４によって行われる。中間転写ローラ７６４には、トナー像を転写するために高電圧の転写バイアス（トナーの帯電極性（−）とは逆極性（＋）の高電圧）が印加されている。中間転写ローラ７６４は、直径８〜１０ｍｍの金属（例えばステンレス）軸をベースとし、その表面が導電性の弾性材（例えばＥＰＤＭ，発泡ウレタン等）により覆われているローラである。この導電性の弾性材により、中間転写ベルト７６１に対して均一に高電圧を印加することができる。本実施形態では転写電極としてローラ形状を使用しているが、それ以外にブラシなども用いることが可能である。
【００７２】
上述の様に各感光体ドラム７０３上で各色相に応じて顕像化された静電像は中間転写ベルト７６１で積層される。このように、積層された画像情報は中間転写ベルト７６１の回転によって、後述の用紙と中間転写ベルト７６１の接触位置に配置される転写ローラ７１０によって用紙上に転写される。
【００７３】
このとき、中間転写ベルト７６１と転写ローラ７１０は所定ニップで圧接されると共に、転写ローラ７１０にはトナーを用紙に転写させるための電圧が印加される（トナーの帯電極性（−）とは逆極性（＋）の高電圧）。さらに、転写ローラ７１０は上記ニップを定常的に得るために、転写ローラ７１０もしくは前記中間転写ベルト駆動ローラ７６２の何れか一方を硬質材料（金属等）とし、他方を弾性ローラ等の軟質材料（弾性ゴムローラ、または発泡性樹脂ローラ等々）が用いられる。
【００７４】
また、上記のように、感光体ドラム７０３に接触することにより中間転写ベルト７６１に付着したトナー、もしくは転写ローラ７１０によって用紙上に転写が行われず中間転写ベルト７６１上に残存したトナーは、次工程でトナーの混色を発生させる原因となるために、中間転写ベルトクリーニングユニット７６５によって除去・回収されるように設定されている。中間転写ベルトクリーニングユニット７６５には、中間転写ベルト７６１に接触する例えばクリーニング部材としてクリーニングブレードが備えられており、クリーニングブレードが接触する中間転写ベルト７６１は、裏側から中間転写ベルト従動ローラ７６３で支持されている。
【００７５】
給紙カセット７８１は、画像形成に使用するシート（記録用紙）を蓄積しておくためのトレイであり、装置本体８１０の露光ユニット７０１の下側に設けられている。また手差し給紙カセット７８２にも画像形成に使用するシートを置くことができる。また、装置本体８１０の上方に設けられている排紙トレイ７９１は、印刷済みのシートをフェイスダウンで集積するためのトレイである。
【００７６】
また装置本体８１０には、給紙カセット７８１及び手差し給紙カセット７８２のシートを転写ローラ７１０や定着ユニット７０７を経由させて排紙トレイ７９１に送るための、略垂直形状の用紙搬送路Ｓが設けられている。給紙カセット７８１ないし手差し給紙カセット７８２から排紙トレイ７９１までの用紙搬送路Ｓの近傍には、ピックアップローラ７１１ａ，７１１ｂ、複数の搬送ローラ７１２ａ〜７１２ｄ，レジストローラ７１３、転写ローラ７１０、定着ユニット７０７等が配されている。
【００７７】
搬送ローラ７１２ａ〜７１２ｄは、シートの搬送を促進・補助するための小型のローラであり、用紙搬送路Ｓに沿って複数設けられている。またピックアップローラ７１１ａは、給紙カセット７８１の端部近傍に備えられ、給紙カセット７８１からシートを１枚ずつピックアップして用紙搬送路Ｓに供給する。同様にまたピックアップローラ７１１ｂは、手差し給紙カセット７８２の端部近傍に備えられ、手差し給紙カセット７８２からシートを１枚ずつピックアップして用紙搬送路Ｓに供給する。
【００７８】
また、レジストローラ７１３は、用紙搬送路Ｓを搬送されているシートを一旦保持するものである。そして、感光体ドラム７０３上のトナー像の先端とシートの先端を合わせるタイミングでシートを転写ローラ７１０に搬送する機能を有している。
【００７９】
定着ユニット７０７は、ヒートローラ７７１及び加圧ローラ７７２を備えており、ヒートローラ７７１及び加圧ローラ７７２は、シートを挟んで回転するようになっている。またヒートローラ７７１は、図示しない温度検出器からの信号に基づいて制御部によって所定の定着温度となるように設定されており、加圧ローラ７７２とともにトナーをシートに熱圧着することにより、シートに転写された多色トナー像を溶融・混合・圧接し、シートに対して熱定着させる機能を有している。またヒートローラ７７１を外部から加熱するための外部加熱ベルト７７３が設けられている。
【００８０】
次にシート搬送経路を詳細に説明する。上述のように、画像形成装置５００には予めシートを収納する給紙カセット７８１、及び手差し給紙カセット７８２が設けられている。これら給紙カセット７８１，７８２からシートを給紙するために、各々ピックアップローラ７１１ａ，７１１ｂが配置され、シートを１枚ずつ搬送路Ｓに導くようになっている。
【００８１】
各給紙カセット７８１，７８２から搬送されるシートは用紙搬送路Ｓの搬送ローラ７１２ａによってレジストローラ７１３まで搬送され、シートの先端と中間転写ベルト７６１上の画像情報の先端を整合するタイミングで転写ローラ７１０に搬送され、シート上に画像情報が書き込まれる。その後、シートは定着ユニット７０７を通過することによってシート上の未定着トナーが熱で溶融・固着され、その後に配された搬送ローラ７１２ｂを経て排紙トレイ７９１上に排出される。
【００８２】
上記の搬送経路は、シートに対する片面印字要求のときのものであるが、これに対して両面印字要求の時は、上記のように片面印字が終了し定着ユニット７を通過したシートの後端が最終の搬送ローラ７１２ｂで把持されたときに、搬送ローラ７１２ｂが逆回転することによってシートを搬送ローラ７１２ｃ，７１２ｄに導く。そしてその後レジストローラ７１３を経てシート裏面に印字が行われた後にシートが排紙トレイ７９１に排出される。
【００８３】
図１１を用いた説明中の画像出力装置２０は、基本的には、上記の装置本体８１０に対応する。
【００８４】
＜２．２  複合機によるイメージ送信動作＞
図１３は、本発明に係る一実施例としての画像処理装置５７０を備える画像形成装置５００（デジタル複写機、コピア機能・プリンタ機能・ファクシミリ送信機能・scan to e-mail機能等を備える複合機）の構成例、及び、イメージ送信動作時の信号の流れを示す図である。
【００８５】
イメージ送信モードの送信処理時にて画像形成装置５００を動作させる場合、画像入力装置１０、Ａ/Ｄ（アナログ／デジタル）変換部５０５、シェーディング補正部５１０、入力処理部５１５、原稿種別自動判別部５２０、綴じ具影専用処理部５２５、領域分離部５３５の動作内容は、印刷動作時の動作内容と同じであるため、説明を省略する。なお、領域分離部５３５は空間フィルタ部５４５、及び、出力階調補正部５５０に対して領域分離信号を出力する。
【００８６】
色補正部５３０では、ＲＧＢ信号は、一般に普及している表示装置の表示特性に適合したＲ’Ｇ’Ｂ’の画像データ（例えば、ｓＲＧＢデータ）に変換され、空間フィルタ部５４５にて領域分離信号を基にデジタルフィルタによる空間フィルタ処理（強調処理，平滑化処理）が行われている。また、出力階調補正部５５０では、例えば、文字領域に対しては図１４（ｂ）のガンマ曲線を用いた補正が行われ、文字以外の領域に対しては図１４（ａ）のガンマ曲線を用いた補正が行われる。
【００８７】
なお、黒生成／下色除去部５４０、中間調生成部５５５は、入力される画像データに対して処理を行わず、この画像データをそのまま後段のブロックに出力する。
【００８８】
出力階調補正部５５０から出力されるＲ’Ｇ’Ｂ’の画像データは、フォーマット化処理部５６０においてＰＤＦファイル等の画像ファイルに変換され、図示しないメール処理部にて電子メールに添付され、電子メールがネットワークを介して相手先に送信される。
【００８９】
なお、上記のように、コピー出力動作やプリント出力動作が指示された場合は、ハードディスクからＪＰＥＧコードが引き出され、不図示のＪＰＥＧ伸張部に引き渡され、復号化処理がなされＲＧＢデータに変換される。一方で、イメージ送信動作の場合は、ハードディスクからＪＰＥＧコードが引き出され、ネットワーク網や通信回線を介して外部接続装置や通信回線へ向けてデータが伝送される。なお、ファイリングデータの管理やデータの引渡しの動作制御については制御部が行うものとする。
【００９０】
＜２．３  スキャナによる画像読取動作＞
図１４は、本発明に係る一実施例としての画像処理装置６５０を備える画像読取装置６００（スキャナ）の構成例、及び、画像読取時の信号の流れを示す図である。
【００９１】
画像読取装置６００は、画像処理装置６５０と、画像入力装置１０、記憶部４０、及び制御部５０を備え、画像処理装置６５０は、Ａ／Ｄ変換部６０５、シェーディング補正部６１０、入力処理部６１５、原稿種別自動判別部６２０、綴じ具影専用処理部６２５、色補正部６３０、フォーマット化処理部６３５を備える。各構成要素の機能は、各々が対応する、上記の画像形成装置５００における構成要素と同一であるため、その説明を省略する。画像処理装置６５０において上記各処理が施された後のＲＧＢ画像信号はコンピュータやサーバ等へ出力される。
【００９２】
以下、本発明の第３の実施形態について詳述する。
【００９３】
［第３の実施形態］
＜３  記録媒体・プログラムについて＞
本発明はコンピュータに実行させるためのプログラムを記録したコンピュータ読み取り可能な記録媒体に、第１の実施形態における画像処理方法を記録するものとすることもできる。
この結果、上記処理を行うプログラムコード（実行形式プログラム、中間コードプログラム、ソースプログラム）を記録した記録媒体を持ち運び自在に提供することができる。
【００９４】
なお、本実施の形態では、この記録媒体としては、マイクロコンピュータで処理が行われるために図示していないメモリ、例えばROMのようなものそのものがプログラムメディアであっても良いし、また、図示していないが外部記憶装置としてプログラム読み取り装置が設けられ、そこに記録媒体を挿入することで読み取り可能なプログラムメディアであっても良い。
【００９５】
いずれの場合においても、格納されているプログラムはマイクロプロセッサがアクセスして実行させる構成であっても良いし、あるいは、いずれの場合もプログラムコードを読み出し、読み出されたプログラムコードは、マイクロコンピュータの図示されていないプログラム記憶エリアにダウンロードされて、そのプログラムが実行される方式であってもよい。このダウンロード用のプログラムは予め本体装置に格納されているものとする。
【００９６】
ここで、上記プログラムメディアは、本体と分離可能に構成される記録媒体であり、磁気テープやカセットテープ等のテープ系、フレキシブルディスクやハードディスク等の磁気ディスクやCD−ROM／MO／MD／DVD等の光ディスクのディスク系、ICカード（メモリカードを含む）／光カード等のカード系、あるいはマスクROM、EPROM（Erasable Programmable Read Only Memory）、EEPROM（Electrically Erasable Programmable Read Only Memory。登録商標）、フラッシュROM等による半導体メモリを含めた固定的にプログラムコードを担持する媒体であっても良い。
【００９７】
また、本実施の形態においては、インターネットを含む通信ネットワークを接続可能なシステム構成であることから、通信ネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、上記プログラムコードが電子的な伝送で具現化された、搬送波に埋め込まれたコンピュータデータ信号の形態でも実現され得る。
【００９８】
上記記録媒体は、デジタルカラー画像形成装置やコンピュータシステムに備えられるプログラム読み取り装置により読み取られることで上述した画像処理方法が実行される。
【産業上の利用可能性】
【００９９】
本発明は、原稿画像を読み取る原稿読取ソフトをインストール可能な装置、あるいは、原稿画像を読み取る原稿読取回路を搭載可能な装置に適用される。このような装置として、例えば、デジタル複合機、コピー機、スキャナ等が挙げられる。
【符号の説明】
【０１００】
１０  画像入力装置
２０  画像出力装置
３０  送受信装置
４０  記憶部
５０  制御部（ＣＰＵ）
１００  画像処理装置
１１０  綴じ具影検出部
１１１  画素判定部
１１２  ヒストグラム生成部
１１３  エッジ計数部
１１４  文字認識処理部
１１５  信号変換部
１１６  ２値化処理部
１１７  レイアウト解析部
１１８  文字認識部
１１９  綴じ具影候補検出部
１２０  綴じ具影判定部
１３０  ５２５  ６２５  綴じ具影専用処理部
１３１  天地判定部
１３２  天地補正部
１３３  綴じ具影消去部
５００  ６００  画像形成装置
５０５  ６０５  Ａ／Ｄ変換部
５１０  ６１０  シェーディング補正部
５１５  ６１５  入力処理部
５２０  ６２０  原稿種別自動判別部
５３０  ６３０  色補正部
５３５  領域分離部
５４０  黒生成／下色除去部
５４５  空間フィルタ部
５５０  出力階調補正部
５５５  中間調生成部
５６０  ６３５  フォーマット化処理部
５７０  ６５０  画像処理装置
７０１  露光ユニット
７０２  現像器
７０３  感光体ドラム
７０４  クリーナユニット
７０５  帯電器
７０６  中間転写ベルトユニット
７０７  定着ユニット
７１０  転写ローラ
７１１ａ  ７１１ｂ  ピックアップローラ
７１２ａ  ７１２ｂ  ７１２ｃ  ７１２ｄ  搬送ローラ
７１３  レジストローラ
７６１  中間転写ベルト
７６２  中間転写ベルト駆動ローラ
７６３  中間転写ベルト従動ローラ
７６４  中間転写ローラ
７６５  中間転写ベルトクリーニングユニット
７７１  ヒートローラ
７７２  加圧ローラ
７７３  外部加熱ベルト
７８１  給紙カセット
７８２  手差しカセット
７９１  排紙トレイ
７９２  原稿載置台
８１０  装置本体
８２０  自動原稿処理装置
【図１】
0006692212.tif 000002
【図２−１】
0006692212.tif 000003
【図２−２】
0006692212.tif 000004
【図３】
0006692212.tif 000005
【図４】
0006692212.tif 000006
【図５−１】
0006692212.tif 000007
【図５−２】
0006692212.tif 000008
【図６−１】
0006692212.tif 000009
【図６−２】
0006692212.tif 000010
【図６−３】
0006692212.tif 000011
【図６−４】
0006692212.tif 000012
【図７−１】
0006692212.tif 000013
【図７−２】
0006692212.tif 000014
【図８−１】
0006692212.tif 000015
【図８−２】
0006692212.tif 000016
【図８−３】
0006692212.tif 000017
【図９−１】
0006692212.tif 000018
【図９−２】
0006692212.tif 000019
【図９−３】
0006692212.tif 000020
【図９−４】
0006692212.tif 000021
【図１０】
0006692212.tif 000022
【図１１】
0006692212.tif 000023
【図１２】
0006692212.tif 000024
【図１３】
0006692212.tif 000025
【図１４】
0006692212.tif 000026
【図１５】
0006692212.tif 000027